(57)【要約】 【課題】ビデオカメラで撮影中の映像をＶＴＲに録画させる際に、ビデオカメラから供給する記録／記録停止等の制御情報の信頼性を高める。【解決手段】ビデオカメラと少なくとも一台の映像記録装置とから成る映像記録システムにおいて、ビデオカメラは、所定の期間毎に、ビデオカメラの操作部１５の操作状況に応じて映像記録装置を制御する制御情報を作成する制御情報作成手段１４と、この制御情報とビデオカメラの撮像部１１からの映像信号とを多重化することによって伝送用のシリアルデジタル信号を作成する伝送データ作成手段１３とを備え、このシリアルデジタル信号を映像記録装置に伝送する。映像記録装置は、このシリアルデジタル信号から映像信号とこの制御情報とを分離する分離手段と、この制御情報に基いてこの映像記録装置の映像記録系を制御する制御手段とを備える。【選択図】  図２
2006262194.tif 000002
【特許請求の範囲】
【請求項１】
ビデオカメラと少なくとも一台の映像記録装置とから成る映像記録システムにおいて、
前記ビデオカメラは、
所定の期間毎に、前記ビデオカメラの操作部の操作状況に応じて前記映像記録装置を制御する制御情報を作成する制御情報作成手段と、
前記制御情報と前記ビデオカメラの撮像部からの映像信号とを多重化することによって伝送用のシリアルデジタル信号を作成する伝送データ作成手段と
を備え、前記シリアルデジタル信号を前記映像記録装置に伝送し、
前記映像記録装置は、
前記シリアルデジタル信号から前記映像信号と前記制御情報とを分離する分離手段と、
前記制御情報に基いて前記映像記録装置の映像記録系を制御する制御手段と
を備えたことを特徴とする映像記録システム。
【請求項２】
請求項１に記載の映像記録システムにおいて、
前記ビデオカメラの前記制御情報作成手段は、前記映像信号の１フィールド期間，１フレーム期間のうちのいずれか一方の時間毎に前記制御情報を作成することを特徴とする映像記録システム。
【請求項３】
請求項１に記載の映像記録システムにおいて、
前記ビデオカメラの前記制御情報作成手段は、前記ビデオカメラに付属している映像記録系で前記映像信号を記録する操作が行われたことに応じて、前記映像記録装置の前記映像記録系に前記映像信号を記録させる制御情報を作成し、前記ビデオカメラに付属している映像記録系での前記映像信号の記録を停止する操作が行われたことに応じて、前記映像記録装置の前記映像記録系に前記映像信号の記録を停止させる制御情報を作成することを特徴とする映像記録システム。
【請求項４】
請求項１に記載の映像記録システムにおいて、
前記ビデオカメラの前記制御情報作成手段は、前記ビデオカメラに付属している映像記録系に装着された記録媒体上の既に映像を記録した位置をさかのぼる操作が行われたことに応じて、前記映像記録装置の前記映像記録系に装着された記録媒体上の既に映像を記録した位置をさかのぼらせる制御情報を作成することを特徴とする映像記録システム。
【請求項５】
請求項１に記載の映像記録システムにおいて、
前記ビデオカメラの前記制御情報作成手段は、さらに、いずれかの前記映像記録装置を指定する識別情報を作成し、
前記ビデオカメラの前記伝送データ作成手段は、前記識別情報を前記制御情報とともに多重化し、
各の前記映像記録装置の前記制御手段は、前記分離手段によって前記制御情報とともに分離された前記識別情報に基き、自己の映像記録装置が指定された場合にのみ前記制御情報に基いて前記映像記録系を制御する
ことを特徴とする映像記録システム。
【請求項６】
請求項１に記載の映像記録システムにおいて、
前記映像記録装置は、
映像信号を蓄積するための記憶手段
をさらに備え、
前記映像記録装置の前記制御手段は、
前記映像記録系に前記映像信号を記録させる制御情報が前記分離手段によって分離され、且つ前記映像記録系に装着された記録媒体に未記録領域がなくなった場合に、前記映像信号を前記記憶手段に記憶させ、その後、前記映像記録系に未記録領域のある記録媒体が装着された場合に、前記記憶手段に記憶された前記映像信号を該記録媒体に記録させる
ことを特徴とする映像記録システム。
【請求項７】
請求項１に記載の映像記録システムにおいて、
前記ビデオカメラの前記伝送データ作成手段は、ＳＤＩ信号を作成するとともに、前記制御情報を補助データパケットにセットすることを特徴とする映像記録システム。
【請求項８】
所定の期間毎に、操作部の操作状況に応じて前記映像記録装置を制御する制御情報を作成する制御情報作成手段と、
前記制御情報と撮像部からの映像信号とを多重化することによって伝送用のシリアルデジタル信号を作成する伝送データ作成手段と
を備え、前記シリアルデジタル信号を出力することを特徴とするビデオカメラ。
【請求項９】
入力したシリアルデジタル信号から映像信号と制御情報とを分離する分離手段と、
前記制御情報に基いて映像記録系を制御する制御手段と
映像信号を蓄積するための記憶手段と
を備え、
前記制御手段は、前記映像記録系に前記映像信号を記録させる制御情報が前記分離手段によって分離され、且つ前記映像記録系に装着された記録媒体の未記録領域がなくなった場合に、前記映像信号を前記記憶手段に記憶させ、その後、前記映像記録系に未記録領域のある記録媒体が装着された場合に、前記記憶手段に記憶された前記映像信号を該記録媒体に記録させる
ことを特徴とする映像記録装置。
【請求項１０】
所定の期間毎に、ビデオカメラの操作部の操作状況に応じて前記映像記録装置を制御する制御情報を作成するステップと、
前記制御情報と前記ビデオカメラの撮像部からの映像信号とを多重化することによって伝送用のシリアルデジタル信号を作成するステップと、
前記シリアルデジタル信号を前記映像記録装置に伝送するステップと
を有することを特徴とするビデオカメラによる映像記録装置の制御方法。
【請求項１１】
入力したシリアルデジタル信号から映像信号と制御情報とを分離する第１のステップと、
前記制御情報に基いて映像記録系を制御する第２のステップと
を有し、
前記第２のステップでは、前記映像記録系に前記映像信号を記録させる制御情報が前記第１のステップで分離され、且つ前記映像記録系に装着された記録媒体の未記録領域がなくなった場合に、前記映像信号を別の記憶手段に記憶させ、その後、前記映像記録系に未記録領域のある記録媒体が装着された場合に、前記記憶手段に記憶された前記映像信号を該記録媒体に記録させる
ことを特徴とする映像記録装置における映像信号の記録方法。
【発明の詳細な説明】
【技術分野】
【０００１】
本発明は、ビデオカメラと、そのビデオカメラによって遠隔制御される映像記録装置とから成る映像記録システムに関し、特に、映像記録装置の誤動作の防止を図ったものに関する。
【背景技術】
【０００２】
複数の放送局が同じ現場で取材を行う場合の取材の一態様に、「代表取材」と呼ばれるものがある。これは、複数の放送局のうちの１つの放送局を幹事局と決め、幹事局のカメラマンがビデオカメラを取材現場に持ち込むとともに、他の放送局はＶＴＲを用意しておき、幹事局のカメラマンがビデオカメラで撮影・録画する映像を、他の各放送局のＶＴＲにも分配して録画させるものである。この代表取材は、例えば野球場のように取材用の機器の設置スペースが狭い場所で行われている。
【０００３】
図１６は、この代表取材を行うための従来のシステムの構成を示す図である。ビデオカメラ５１は、２６ピンコネクタ（マルチコネクタの一種）５１ａを有するＶＴＲ一体型のビデオカメラであり、幹事局のカメラマンによって取材現場に持ち込まれている。
【０００４】
ビデオカメラ５１の２６ピンコネクタ５１ａは、２６ピンコネクタ用のケーブル５３によって、分配器５４の複数の２６ピンコネクタ５４ａのうちの一つに接続されている。
【０００５】
各ＶＴＲ５２は、２６ピンコネクタ５２ａを有するＶＴＲであり、幹事局以外の各放送局（Ａ局〜Ｄ局）によって一台ずつ用意されている。各ＶＴＲ５２の２６ピンコネクタ５２ａも、それぞれ２６ピンコネクタ用のケーブル５３によって、分配器５４の複数の２６ピンコネクタ５４ａのうちの一つずつに接続されている。
【０００６】
分配器５４は、複数の２６ピンコネクタ５４ａのうち、カメラ入力用に割り当てた１つの２６ピンコネクタ５４ａに入力したアナログコンポジット信号及びアナログオーディオ信号を、ＶＴＲ用に割り当てた残りの２６ピンコネクタ５４ａに分配して出力する機能を有している。また、分配器５４は、各２６ピンコネクタ５４ａに一対一に対応して、複数のタリーランプ５４ｂを備えている。
【０００７】
取材時には、幹事局のカメラマンがビデオカメラ５１で録画操作を行うと、そのトリガーパルスがビデオカメラ５１から分配器５４を介して各ＶＴＲ５２に供給されるとともに、ビデオカメラ５１からのアナログコンポジット信号及びアナログオーディオ信号が分配器５４を介して各ＶＴＲ５２に供給される。その後、カメラマンがビデオカメラ５１で録画停止操作を行うと、そのトリガーパルスがビデオカメラ５１から分配器５４を介して各ＶＴＲ５２に供給される。
【０００８】
各ＶＴＲ５２は、分配器５４を介してトリガーパルスが供給される毎に、記録／記録停止のトグル動作を行う。そして、記録を行っているＶＴＲ５２からはタリー信号が分配器５４の２６ピンコネクタ５４ａに供給され、その２６ピンコネクタ５４ａに対応するタリーランプ５４ｂが点灯する。
【０００９】
他方、映像信号の出力形態としては、アナログコンポジット信号以外に、ＳＤＩ（serial data interface）信号が知られている。ＳＤＩは、ＳＭＰＴＥ（全米映画テレビジョン技術者協会）によるシリアル・デジタル・インターフェースの規格であり、ＳＤ−ＳＤＩについてはＳＭＰＴＥ２５９Ｍとして規定され、ＨＤ−ＳＤＩについてはＳＭＰＴＥ２９２Ｍとして規定されている。また、ＳＤＩに適用可能な補助（アンシラリ）データパケットのフォーマットが、ＳＭＰＴＥ２９１Ｍとして規定されている。
【００１０】
従来、ＳＤＩにおける補助データパケットの利用方法としては、ＳＤＩ信号として伝送する映像を編集するための制御情報を補助データパケットにセットし、編集装置が、この制御情報に基いて、伝送された映像に対して編集動作を行うものが提案されていた（例えば、特許文献１参照。）。
【００１１】
【特許文献１】特開２００３−２２４８０８号公報（段落番号００２７〜３９、図１〜２）
【発明の開示】
【発明が解決しようとする課題】
【００１２】
図１６に示したような従来の代表取材のシステムには、次の（ａ）や（ｂ）ような問題点があった。
【００１３】
（ａ）ケーブル５３内を伝送される信号にノイズが混入した場合、ＶＴＲ５２がそのノイズをビデオカメラ５１からのトリガーパルスとして扱ってしまうことにより、ＶＴＲ５２の記録開始動作と記録停止動作とが反転し、現在撮影中の映像がＶＴＲ５２に録画されなくなることがある。このように、ＶＴＲ５２に記録／記録停止の制御情報（パルス）を供給する側の要因により、システムの信頼性が低下してしまう。この場合、カメラマンや幹事局の別のスタッフが分配器５４のタリーランプ５４ｂを確認すれば、録画が行われていないＶＴＲ５２をみつけて、その場で対処することができる。しかし、こうした確認を行わなければならないことは、幹事局側の作業の負担が大きくなってしまう。
【００１４】
（ｂ）２６ピンコネクタ用のケーブル５３は延長距離が３〜５メートル程度なので、ビデオカメラ５１と近接した位置に各ＶＴＲ５２を設置しなければならない。そのため、前述の野球場のように取材用の機器の設置スペースが狭い場合には、複数台のＶＴＲ５２を全てその狭いスペースに設置しなければならないので、各ＶＴＲ５２のビデオテープを交換する作業等をやりにくくなる。
【００１５】
他方、上記特許文献１に記載の技術は、既に素材としてＶＴＲに録画した映像を編集する段階における技術であり、取材現場でＶＴＲに映像を録画する段階における技術ではない。
【００１６】
本発明は、上述の点に鑑み、ビデオカメラで撮影する映像をＶＴＲ等の映像記録装置に録画させる際に、ビデオカメラから供給する記録／記録停止等の制御情報の信頼性を高めることを課題としてなされたものである。
【課題を解決するための手段】
【００１７】
この課題を解決するために、本発明は、ビデオカメラと少なくとも一台の映像記録装置とから成る映像記録システムにおいて、このビデオカメラは、所定の期間毎に、このビデオカメラの操作部の操作状況に応じてこの映像記録装置を制御する制御情報を作成する制御情報作成手段と、この制御情報とこのビデオカメラの撮像部からの映像信号とを多重化することによって伝送用のシリアルデジタル信号を作成する伝送データ作成手段とを備え、このシリアルデジタル信号をこの映像記録装置に伝送し、この映像記録装置は、このシリアルデジタル信号からこの映像信号とこの制御情報とを分離する分離手段と、この制御情報に基いてこの映像記録装置の映像記録系を制御する制御手段とを備えたことを特徴とする。
【００１８】
この映像記録システムでは、ビデオカメラの側で、操作部の操作状況に応じて、映像記録装置を制御する制御情報が所定期間毎に作成され、その制御情報と映像信号とを多重化したシリアルデジタル信号が映像記録装置に伝送される。
【００１９】
そして、映像記録装置の側で、この伝送されたシリアルデジタル信号から映像信号と制御情報とを分離し、分離した制御情報に基いて映像記録系を制御する。
【００２０】
このように、この映像記録システムでは、ビデオカメラから、その操作に応じて映像記録装置を制御する制御情報が、シリアルデジタル信号の一部として定期的に映像記録装置に供給される。これにより、ビデオカメラで撮影中の映像を映像記録装置に記録させる際に、ビデオカメラから映像記録装置に供給する制御情報の信頼性を高めることができる。
【００２１】
なお、この映像記録システムにおいて、一例として、ビデオカメラの制御情報作成手段は、映像信号の１フィールド期間，１フレーム期間のうちのいずれか一方の期間毎に制御情報を作成することが好適である。それにより、映像記録装置を制御する制御情報を、常時映像記録装置に供給することができる。
【００２２】
また、この映像記録システムにおいて、一例として、ビデオカメラの制御情報作成手段は、ビデオカメラに付属している映像記録系（例えばＶＴＲ一体型ビデオカメラにおけるＶＴＲ）で映像信号を記録する操作が行われたことに応じて、映像記録装置の映像記録系に映像信号を記録させる制御情報を作成し、ビデオカメラに付属している映像記録系での映像信号の記録を停止する操作が行われたことに応じて、映像記録装置の映像記録系に映像信号の記録を停止させる制御情報を作成することが好適である。
【００２３】
それにより、ビデオカメラに付属している映像記録系の記録／記録停止動作と同じ動作を行わせる制御情報が映像記録装置に供給されるので、ビデオカメラ自身で録画するのと同じ映像を映像記録装置に録画させることができる。
【００２４】
あるいはまた、ビデオカメラの制御情報作成手段は、ビデオカメラに付属している映像記録系に装着された記録媒体上の既に映像を記録した位置をさかのぼる操作（例えばＶＴＲ一体型ビデオカメラにおけるビデオテープのリワインド操作）が行われたことに応じて、映像記録装置の映像記録系に装着された記録媒体上の既に映像を記録した位置をさかのぼらせる制御情報を作成することも好適である。
【００２５】
それにより、例えばビデオカメラ自身に既に記録した映像を上書き消去するような場合に、映像記録装置のほうに記録された同じ映像も上書き消去させることができる。
【００２６】
また、この映像記録システムにおいて、一例として、ビデオカメラの制御情報作成手段は、さらに、いずれかの映像記録装置を指定する識別情報を作成し、ビデオカメラの伝送データ作成手段は、この識別情報を制御情報とともに多重化し、各映像記録装置の制御手段は、分離手段によって制御情報とともに分離されたこの識別情報に基き、自己の映像記録装置が指定された場合にのみ制御情報に基いて映像記録系を制御することが好適である。
【００２７】
それにより、複数台の映像記録装置が存在する場合に、そのうちの一部の映像記録装置のみを指定して制御することができる。
【００２８】
また、この映像記録システムにおいて、一例として、映像記録装置は、映像信号を蓄積するための記憶手段をさらに備え、映像記録装置の制御手段は、映像記録系に映像信号を記録させる制御情報が分離手段によって分離され、且つ映像記録系に装着された記録媒体に未記録領域がなくなった場合に、映像信号をこの記憶手段に記憶させ、その後、映像記録系に未記録領域のある記録媒体が装着された場合に、この記憶手段に記憶された映像信号をその記録媒体に記録させることが好適である。
【００２９】
それにより、ビデオカメラで撮影する映像を映像記録装置に録画させている最中に映像記録装置の側で記録媒体の未記録領域（例えばＶＴＲではビデオテープの残量）がなくなった場合にも、その後ビデオカメラで撮影する映像が交換後の記録媒体に時差をもって記録されるので、映像を途切れることなく映像記録装置に録画させることができる。
【００３０】
また、この映像記録システムにおいて、一例として、ビデオカメラの伝送データ作成手段は、ＳＤＩ信号を作成するとともに、制御情報を補助データパケットにセットすることが好適である。
【００３１】
次に、本発明に係るビデオカメラは、所定の期間毎に、操作部の操作状況に応じて映像記録装置を制御する制御情報を作成する制御情報作成手段と、この制御情報と撮像部からの映像信号とを多重化することによって伝送用のシリアルデジタル信号を作成する伝送データ作成手段とを備え、このシリアルデジタル信号を出力することを特徴とする。
【００３２】
このビデオカメラは、前述の本発明に係る映像記録システムを構成するビデオカメラであり、撮影中の映像を映像記録装置に記録させる際に、映像記録装置に供給する制御情報の信頼性を高めることができる。
【００３３】
次に、本発明に係る映像記録装置は、入力したシリアルデジタル信号から映像信号と制御情報とを分離する分離手段と、この制御情報に基いて映像記録系を制御する制御手段と、映像信号を蓄積するための記憶手段とを備え、この制御手段は、映像記録系に映像信号を記録させる制御情報が分離手段によって分離され、且つ映像記録系に装着された記録媒体の未記録領域がなくなった場合に、映像信号を記憶手段に記憶させ、その後、映像記録系に未記録領域のある記録媒体が装着された場合に、この記憶手段に記憶された映像信号をその記録媒体に記録させることを特徴とする。
【００３４】
この映像記録装置は、前述の本発明に係る映像記録システムを構成する映像記録装置であり、信頼性の高い制御情報に基いてビデオカメラからの映像を記録することができるとともに、ビデオカメラからの映像を録画している最中に記録媒体の未記録領域がなくなった場合にも、その後ビデオカメラから伝送される映像が交換後の記録媒体に時差をもって記録されるので、映像を途切れることなく録画することができる。
【００３５】
次に、本発明に係るビデオカメラによる映像記録装置の制御方法は、所定の期間毎に、ビデオカメラの操作部の操作状況に応じて映像記録装置を制御する制御情報を作成するステップと、この制御情報とビデオカメラの撮像部からの映像信号とを多重化することによって伝送用のシリアルデジタル信号を作成するステップと、このシリアルデジタル信号をこの映像記録装置に伝送するステップとを有することを特徴とする。
【００３６】
この制御方法は、前述の本発明に係る映像記録システムに用いるためにビデオカメラに実施させる制御方法であり、撮影中の映像を映像記録装置に記録させる際に、映像記録装置に供給する制御情報の信頼性を高めることができる。
【００３７】
次に、本発明に係る映像記録装置における映像信号の記録方法は、入力したシリアルデジタル信号から映像信号と制御情報とを分離する第１のステップと、この制御情報に基いて映像記録系を制御する第２のステップとを有し、第２のステップでは、映像記録系に映像信号を記録させる制御情報が第１のステップで分離され、且つ映像記録系に装着された記録媒体の未記録領域がなくなった場合に、映像信号を別の記憶手段に記憶させ、その後、映像記録系に未記録領域のある記録媒体が装着された場合に、この記憶手段に記憶された映像信号をその記録媒体に記録させることを特徴とする。
【００３８】
この記録方法は、前述の本発明に係る映像記録システムに用いるために映像記録装置に実施させる記録方法であり、信頼性の高い制御情報に基いてビデオカメラからの映像を記録することができるとともに、ビデオカメラからの映像を録画している最中に記録媒体の未記録領域がなくなった場合にも、その後ビデオカメラから伝送される映像が交換後の記録媒体に時差をもって記録されるので、映像を途切れることなく録画することができる。
【発明の効果】
【００３９】
本発明によれば、ビデオカメラで撮影中の映像を映像記録装置に記録させる際に、ビデオカメラから映像記録装置に供給する制御情報の信頼性を高めることができるという効果が得られる。
【発明を実施するための最良の形態】
【００４０】
次に、本発明の実施形態を、図面を用いて具体的に説明する。なお、以下では、代表取材のために本発明を適用した例について説明することにする。
【００４１】
図１は、本発明を適用した代表取材のためのシステムの全体構成を示す図である。ビデオカメラ１は、デジタルＨＤに対応し、ＨＤ−ＳＤＩ出力端子１ａを有するＶＴＲ一体型のビデオカメラであり、幹事局のカメラマンによって取材現場に持ち込まれている。
【００４２】
ビデオカメラ１のＨＤ−ＳＤＩ出力端子１ａは、ＢＮＣケーブル４によってＨＤ−ＳＤＩ分配器３のＨＤシリアルデジタル入力端子３ａに接続されている。
【００４３】
各ＶＴＲ２は、ＨＤシリアルデジタル入力端子２ａを有するＶＴＲであり、幹事局以外の各放送局（Ａ局〜Ｄ局）によって一台ずつ用意されている。各ＶＴＲ２のＨＤシリアルデジタル入力端子２ａは、それぞれＢＮＣケーブル５によって、ＨＤ−ＳＤＩ分配器３の複数のＨＤシリアルデジタル出力端子３ｂのうちの一つずつに接続されている。
【００４４】
ＨＤ−ＳＤＩ分配器３は、アンプ及びＰＬＬを内蔵しており、ＨＤシリアルデジタル入力端子３ａへの入力信号を、増幅及びリクロックして各ＨＤシリアルデジタル出力端子３ｂから出力する。
【００４５】
ＢＮＣケーブルには延長距離が１００メートルのものも存在するので、各ＶＴＲ２は、ビデオカメラ１と近接した位置ではなく、少し離れた位置に設置することもできる。
【００４６】
図２は、ビデオカメラ１の主要部の構成を示すブロック図である。ビデオカメラ１の撮像部（ＣＣＤ撮像素子）１１から出力された撮像信号が、映像信号処理部１２に送られる。映像信号処理部１２は、この撮像信号をデジタル変換した後各種信号処理（輝度信号処理，色信号処理，ガンマ補正，Ｙ・Ｐｂ・Ｐｒへの変換等）等を施すことによって、デジタルＨＤＴＶ信号を生成する。このデジタルＨＤＴＶ信号は、パラレル方式で、ＳＤＩエンコーダ１３に送られるとともにビデオカメラ１自身のＶＴＲ部（記録再生系）１７に送られる。
【００４７】
また、図示は省略しているが、ビデオカメラ１に付属したマイクロホンからの音声信号が、デジタル変換されて、パラレル方式でＶＴＲ部１７及びＳＤＩエンコーダ１３に送られる。
【００４８】
ＳＤＩエンコーダ１３は、このデジタルＨＤＴＶ信号・デジタル音声信号を、ＳＭＰＴＥ２９２Ｍの規定（ＨＤ−ＳＤＩ）に則ってフォーマット変換するプロセッサである。また、ＳＤＩエンコーダ１３は、ビデオカメラ１の各部を制御するＣＰＵ１４の制御のもとで、ＳＭＰＴＥ２９１Ｍの規定に則って補助（アンシラリ：ancillary）データパケットを作成し、その補助データパケットをＨＤ−ＳＤＩの補助データスペースに多重化する。なお、以下では補助データパケットをＡＮＣパケットと表記する。
【００４９】
ＳＭＰＴＥ２９１Ｍは、タイプ１，タイプ２という２種類のＡＮＣパケットを規定している。タイプ１は、１ワードのデータＩＤ（ＤＩＤ）のみを使用するものであり、タイプ２は、ＤＩＤ及びセカンダリＩＤ（ＳＤＩＤ）から成る２ワードのデータＩＤを使用するものである。
【００５０】
各タイプのＡＮＣパケットのＤＩＤには、ユーザーが任意に使用できるように（User Application）割り当てられた値が存在する。タイプ２については、その値の範囲は５０ｈ〜５Ｆｈ（ｈは１６進数を表す）である。
【００５１】
図３は、タイプ２のＡＮＣパケットのフォーマットを示す図である。タイプ２のＡＮＣパケットは、ＡＮＣパケットの始まりを示す補助データフラグ（ＡＤＦ）と、データＩＤ（ＤＩＤ）と、セカンダリデータＩＤ（ＳＤＩＤ）と、ユーザーデータ量を示すデータカウント（ＤＣ）と、最大２５５ワードのユーザーデータワード（ＵＤＷ）と、チェックサム（ＣＳ）とで構成される。
【００５２】
ＣＰＵ１４は、このタイプ２のＡＮＣパケットを作成・多重化するためのパラメータ（ＡＮＣパケットを多重化する水平ライン番号や、図３のＤＩＤ，ＳＤＩＤ，ＤＣの値）及びデータ（図３のＵＤＷ）を、ＳＤＩエンコーダ１３に与える。
【００５３】
ＨＤ−ＳＤＩ信号を出力する既存のビデオカメラにおいては、通常、ＡＮＣパケットに音声制御パケットやメタデータ用のパケットとしての用途が割り当てられている。本発明の特徴として、ＣＰＵ１４は、こうした音声制御パケットやメタデータ用のパケットを作成するためのパラメータ及びデータをＳＤＩエンコーダ１３に与えるだけでなく、図１の各ＶＴＲ２を制御する「ＶＴＲ制御パケット」を作成するためのパラメータ及びデータを、デジタルＨＤＴＶ信号の１フィールド期間毎にＳＤＩエンコーダ１３に与える。
【００５４】
この「ＶＴＲ制御パケット」を作成するためのデータ（図３のＵＤＷ）としては、図２に示すように、ビデオカメラ１自身のＶＴＲ部１７を操作するために操作部１５に設けられているＲＥＣ（録画開始）釦１５ａ，ＳＴＯＰ（録画停止）釦１５ｂ，ＰＬＡＹ（ビデオテープの再生）釦１５ｃ，Ｆ．ＦＷＤ×５（ビデオテープの５倍速早送り）釦１５ｄ，ＲＥＷ×５（ビデオテープの５倍速巻戻し）釦１５ｅ，ＥＪＥＣＴ（ビデオカセットの排出）釦１５ｆの現在の操作内容に応じて、その操作内容と一致するように各ＶＴＲ２を制御するデータ（ＶＴＲ制御コマンド）がＳＤＩエンコーダ１３に与えられる。
【００５５】
なお、ＳＤＩエンコーダ１３で作成可能なＡＮＣパケットの数は、ＳＤＩエンコーダ１３を構成するプロセッサの処理能力等によって一定以下（例えば最大で５個）に制約される。そこで、ＣＰＵ１４は、通常は音声制御パケットとして使用されるＡＮＣパケットのうちの１つ（ここでは、ＣＨ１〜ＣＨ４用，ＣＨ５〜ＣＨ８用の２つの音声制御パケットのうちの、ＣＨ５〜ＣＨ８用の音声制御パケットとする）を、「ＶＴＲ制御パケット」を兼ねたＡＮＣパケットである「音声制御兼ＶＴＲ制御パケット」として使用させる。
【００５６】
図４は、この「音声制御兼ＶＴＲ制御パケット」を作成するためにＣＰＵ１４がＳＤＩエンコーダ１３に与えるパラメータ及びデータを示す。Ｌｉｎｅ  Ｎｏ．（ＨＤ−ＳＤＩの補助データスペースのうち、ＡＮＣパケットを多重化する水平ライン番号）として、奇数フィールド時には９ライン目が指定され、偶数フィールド時には５７１ライン目が指定される。ＤＩＤとしては、ユーザーが任意に使用できる範囲（５０ｈ〜５Ｆｈ）内の値である５２ｈが指定される。ＳＤＩＤとしては４Ｄｈが指定され、ＤＣとしては０Ｂｈが指定される。
【００５７】
ＵＤＷは、ＵＤＷ０〜８（１ワード目〜９ワード目）が通常の音声制御パケットのＵＤＷと同じ内容になり、ＵＤＷ９（１０ワード目）の値であるＣＭＤ０とＵＤＷ１０（１１ワード目）の値であるＣＭＤ１との組合せで１個のＶＴＲ制御コマンドが構成される。
【００５８】
前述のように、ＶＴＲ制御コマンドの内容（ＣＭＤ０，ＣＭＤ１の具体的数値）は、図２の操作部１５の釦１５ａ〜１５ｆの操作によって決定される。図５は、各釦１５ａ〜１５ｆの操作と対応させて、このＶＴＲ制御コマンドの内容を示す図である。
【００５９】
ＳＴＯＰ釦１５ｂが操作されたときは、ＣＭＤ０，ＣＭＤ１の値がそれぞれ２０ｈ，００ｈになり、ＶＴＲ制御コマンドは、各ＶＴＲ２にビデオテープへの記録を停止させるコマンド（ＳＴＯＰコマンド）としての意味を持つようになる。
【００６０】
ＰＬＡＹ釦１５ｃが操作されたときは、ＣＭＤ０，ＣＭＤ１の値がそれぞれ２０ｈ，０１ｈになり、ＶＴＲ制御コマンドは、各ＶＴＲ２にビデオテープの再生を行わせるコマンド（ＰＬＡＹコマンド）としての意味を持つようになる。
【００６１】
ＲＥＣ釦１５ａが操作されたときは、ＣＭＤ０，ＣＭＤ１の値がそれぞれ２０ｈ，０２ｈになり、ＶＴＲ制御コマンドは、各ＶＴＲ２にビデオテープへの記録を行わせるコマンド（ＲＥＣコマンド）としての意味を持つようになる。
【００６２】
Ｆ．ＦＷＤ×５釦１５ｄが操作されたときは、ＣＭＤ０，ＣＭＤ１の値がそれぞれ２０ｈ，０３ｈになり、ＶＴＲ制御コマンドは、各ＶＴＲ２にビデオテープの５倍速早送りを行わせるコマンド（Ｆ．ＦＷＤ×５コマンド）としての意味を持つようになる。
【００６３】
ＲＥＷ×５釦１５ｅが操作されたときは、ＣＭＤ０，ＣＭＤ１の値がそれぞれ２１ｈ，０３ｈになり、ＶＴＲ制御コマンドは、各ＶＴＲ２にビデオテープの５倍速巻き戻しを行わせるコマンド（ＲＥＷ×５コマンド）としての意味を持つようになる。
【００６４】
ＥＪＥＣＴ釦１５ｆが操作されたときは、ＣＭＤ０，ＣＭＤ１の値がそれぞれ２０ｈ，０Ｆｈになり、ＶＴＲ制御コマンドは、各ＶＴＲ２にビデオカセットを排出させるコマンド（ＥＪＥＣＴコマンド）としての意味を持つようになる。
【００６５】
ＳＤＩエンコーダ１３は、このＣＰＵ１４からのパラメータ及びデータに基き、ＶＴＲ制御コマンドをセットした「音声制御兼ＶＴＲ制御パケット」を作成・多重化する。図６は、ＳＤＩエンコーダ１３が作成する「音声制御兼ＶＴＲ制御パケット」の構造を示す図である。ＵＤＷには、音声制御用のデータとしてＡＦ（音声フレーム番号データ），ＲＡＴＥ（サンプリング周波数データ），ＡＣＴ（アクティブチャンネルデータ），ＤＥＬ５−６（ＣＨ５，６音声遅延情報データ）及びＤＥＬ７−８（ＣＨ７，８音声遅延情報データ）が含まれるとともに、ＶＴＲ制御コマンド（ＣＭＤ０及びＣＭＤ１）が含まれている。各データの具体的数値は、制御内容によって異なるので、図６には示していない。
【００６６】
このようにして、ＳＤＩエンコーダ１３は、デジタルＨＤＴＶ信号の１フィールド期間毎に、ＡＮＣパケットの１つとして「音声制御兼ＶＴＲ制御パケット」を作成し、この「音声制御兼ＶＴＲ制御パケット」をＨＤ−ＳＤＩの補助データスペースに多重化する。
【００６７】
ただし、別の例として、ＳＤＩエンコーダ１３で作成可能なＡＮＣパケットの数に余裕があるような場合には、「音声制御兼ＶＴＲ制御パケット」を作成する代わりに、音声制御パケットとは別に単独のＡＮＣパケットとして「ＶＴＲ制御パケット」を作成してもよい。
【００６８】
図７は、単独のＡＮＣパケットとして「ＶＴＲ制御パケット」を作成する場合にＣＰＵ１４がＳＤＩエンコーダ１３に与えるパラメータ及びデータを、図４と対応させて示す図である。Ｌｉｎｅ  Ｎｏ．及びＤＩＤは、図４に示したのと同じである。ＳＤＩＤとしては、４Ｅｈが指定されている。
【００６９】
ＵＤＷは、１または複数のＶＴＲＩＤと、各ＶＴＲＩＤに一対一に対応したＶＴＲ制御コマンド（図４及び図５に示したＣＭＤ０とＣＭＤ１との組合せ）とを含む内容になっている。したがって、ＵＤＷのワード数は、一定ではなく、ＶＴＲＩＤの個数によって異なる。そのため、ＤＣの値も、一定ではなく、個々の「ＶＴＲ制御パケット」によって異なる。
【００７０】
ＶＴＲＩＤは、図１の各ＶＴＲ２のうち制御対象とするＶＴＲを指定するための情報である。各ＶＴＲ２には、それぞれ０１ｈ，０２ｈ，０３ｈ，０４ｈというような固有の識別符号が付与されおり、ＶＴＲ２を個別に制御対象として指定する場合には、そのＶＴＲに付与されている識別符号をＶＴＲＩＤとしてセットする。また、全てのＶＴＲ２を制御対象として指定する場合には、ＶＴＲＩＤとして００ｈを指定する。
【００７１】
図８，図９は、ＳＤＩエンコーダ１３が単独のＡＮＣパケットとして作成する「ＶＴＲ制御パケット」の構造を、図６と対応させて例示する図である。このうち、図８は、ＶＴＲＩＤとして００ｈをセットした（全てのＶＴＲ２を指定した）例である。他方、図９は、ＶＴＲＩＤとして０１ｈ，０３ｈをそれぞれ指定した（２台のＶＴＲ２を個別に指定した）例である。
【００７２】
図２に示すように、ＳＤＩエンコーダ１３によってフォーマット変換されてＡＮＣパケットを多重化されたデジタル信号は、パラレル／シリアル変換回路１６によってシリアル方式の信号に変換される。そして、このパラレル／シリアル変換回路１６の出力信号（ＨＤ−ＳＤＩ信号）が、図１に示したように、ビデオカメラ１のＨＤ−ＳＤＩ出力端子１ａから分配器３を介して各ＶＴＲ２にそれぞれ伝送される。
【００７３】
図１０は、各ＶＴＲ２の記録系の構成を示すブロック図である。ＨＤシリアルデジタル入力端子２ａ（図１）に入力したＨＤ−ＳＤＩ信号は、シリアル／パラレル変換回路２１によってパラレル方式の信号に変換されて、ＳＤＩデコーダ２２に送られる。
【００７４】
ＳＤＩデコーダ２２は、ＨＤ−ＳＤＩ信号からデジタルＨＤＴＶ信号とデジタル音声信号とＡＮＣパケットと分離するプロセッサである。ＳＤＩデコーダ２２によって分離されたデジタルＨＤＴＶ信号は、画像圧縮処理回路２３に送られて、ビットレートを圧縮される。画像圧縮処理回路２３で圧縮された映像データは、バッファメモリ２５に送られるとともに、二入力一出力の切替スイッチ２６の一方の入力端に送られる。
【００７５】
バッファメモリ２５は、この圧縮された映像データを１〜２分間程度（後述するビデオカセットの交換作業に要する時間程度）蓄積することのできる容量を有している。バッファメモリ２５から読み出された映像データは、切替スイッチ２６のもう一方の入力端に送られる。
【００７６】
切替スイッチ２６の出力端から出力された映像データは、信号処理回路２７によって誤り訂正符号化及び記録符号化の処理を施された後、記録アンプ２８を経て記録ヘッド２９に送られて、ビデオテープ（図示略）に記録される。
【００７７】
また、図示は省略しているが、ＳＤＩデコーダ２２によって分離されたデジタル音声信号も、記録ヘッド２９に送られてビデオテープに記録される。
【００７８】
他方、ＳＤＩデコーダ２２によって分離されたＡＮＣパケットは、ＶＴＲ２の各部を制御するＣＰＵ２４に送られる。図１１は、このＡＮＣパケットに含まれるＶＴＲ制御コマンド（図５，図６）に基いてＣＰＵ２４が実行する処理の内容を示すフローチャートである。
【００７９】
この処理は、デジタルＨＤＴＶ信号の１フィールド期間毎に実行するものであり、最初に、ＳＤＩデコーダ２２からのＡＮＣパケットの送付の有無を確認して（ステップＳ１）、ＡＮＣパケットが送られたか否かを判断する（ステップＳ２）。
【００８０】
ノーであれば、処理を終了する。他方イエスであれば、送られたＡＮＣパケットを読み出す（ステップＳ３）。そして、そのＡＮＣパケットのデータＩＤ及びセカンダリデータＩＤに基いて、そのＡＮＣパケットが「音声制御兼ＶＴＲ制御パケット」（図６）であるか否かを判断する（ステップＳ４）。
【００８１】
ノーであれば、処理を終了する。他方イエスであれば、その「音声制御兼ＶＴＲ制御パケット」からＶＴＲ制御コマンド（図６のＣＭＤ０及びＣＭＤ１）を分離して（ステップＳ５）、そのＶＴＲ制御コマンドの内容（図５）を判別する（ステップＳ６）。
【００８２】
そして、そのＶＴＲ制御コマンドがＲＥＣコマンド（図５）であるか否かを判断する（ステップＳ７）。イエスであれば、後述するような「ＲＥＣコマンド実行処理」を実行し（ステップＳ８）、その後処理を終了する。
【００８３】
ステップＳ７でノーであれば、そのＶＴＲ制御コマンドがＳＴＯＰコマンド（図５）であるか否かを判断する（ステップＳ９）。イエスであれば、後述するような「ＳＴＯＰコマンド実行処理」を実行し（ステップＳ１０）、その後処理を終了する。
【００８４】
ステップＳ９でノーであれば、そのＶＴＲ制御コマンドがＰＬＡＹコマンド（図５）であるか否かを判断する（ステップＳ１１）。イエスであれば、ＶＴＲ２の再生系（図示略）を制御してビデオテープを再生させ（ステップＳ１２）、その後処理を終了する。
【００８５】
ステップＳ１１でノーであれば、そのＶＴＲ制御コマンドがＦ．ＦＷＤ×５コマンド（図５）であるか否かを判断する（ステップＳ１３）。イエスであれば、ＶＴＲ２の再生系を制御してビデオテープの５倍速早送りを行わせ（ステップＳ１４）、その後処理を終了する。
【００８６】
ステップＳ１３でノーであれば、そのＶＴＲ制御コマンドがＲＥＷ×５コマンド（図５）であるか否かを判断する（ステップＳ１５）。イエスであれば、ＶＴＲ２の再生系を制御してビデオテープの５倍速巻き戻しを行わせ（ステップＳ１６）、その後処理を終了する。
【００８７】
ステップＳ１５でもノーであれば、そのＶＴＲ制御コマンドはＥＪＥＣＴコマンドなので、ＶＴＲ２のローディング機構（図示略）を制御してビデオカセットを排出させ（ステップＳ１７）、その後処理を終了する。
【００８８】
図１２は、図１１にステップＳ８として示した「ＲＥＣコマンド実行処理」の内容を示すフローチャートである。最初に、ＶＴＲ２へのビデオカセットの装着の有無を確認して（ステップＳ２１）、ビデオカセットが装着されていたか否かを判断する（ステップＳ２２）。
【００８９】
ノーであれば、「ＲＥＣコマンド実行処理」を終了する。他方イエスであれば、そのビデオカセットのビデオテープの残量（未記録部分の量）を確認して（ステップＳ２３）、まだ残量があるか否かを判断する（ステップＳ２４）。
【００９０】
イエスであれば、バッファメモリ２５（図１０）に記憶しているがビデオテープのほうにはまだ記録していない映像データの有無をチェックする。（なお、バッファメモリ２５に映像データを記憶させた後図１１のステップＳ１５，Ｓ１６でＲＥＷ×５コマンドに基いてビデオテープの巻き戻しを行った場合には、バッファメモリ２５内の映像データは、こうした未記録のデータとしては扱わない）（ステップＳ２５）。そして、そうしたビデオテープへの未記録データがバッファメモリ２５内にあるか否かを判断する（ステップＳ２６）。
【００９１】
ノーであれば、切替スイッチ２６（図１０）を画像圧縮処理回路２３側に切り替えて、ることにより、ＶＴＲ２に入力して画像圧縮処理回路２３で現在圧縮されている映像データを、ビデオテープに記録させる（ステップＳ２７）。そして「ＲＥＣコマンド実行処理」を終了する。
【００９２】
他方、ステップＳ２６でイエスであれば、バッファメモリ２５からその未記録データをＦＩＦＯ方式で読み出すとともに切替スイッチ２６をバッファメモリ２５側に切り替えることにより、その未記録データをビデオテープに記録させる（ステップＳ２８）。そして「ＲＥＣコマンド実行処理」を終了する。
【００９３】
ステップＳ２４でノーであった場合には、バッファメモリ２５の空き容量をチェックする（なお、映像データを記憶している記憶領域であっても、ステップＳ２８でその映像データを既に読み出している領域は、上書き可能な空き領域として扱う）（ステップＳ２９）。そして、空き容量があるか否かを判断する（ステップＳ３０）。
【００９４】
イエスであれば、画像圧縮処理回路２３からバッファメモリ２５に送られる映像データをバッファメモリ２５に記憶させる（ステップＳ３１）。そして「ＲＥＣコマンド実行処理」を終了する。他方、ステップＳ３０でノーであれば、そのまま「ＲＥＣコマンド実行処理」を終了する。
【００９５】
図１３は、図１１にステップＳ１０として示した「ＳＴＯＰコマンド実行処理」の内容を示すフローチャートである。最初に、それまでバッファメモリ２５（図１０）に映像データを記録していた場合にはバッファメモリ２５への映像データの記録を終了した上で、バッファメモリ２５内に蓄積されているがビデオテープのほうにまだ記録されていない映像データの有無をチェックする（ステップＳ４１）。そして、そうしたビデオテープへの未記録データがバッファメモリ２５内にあるか否かを判断する（ステップＳ４２）。
【００９６】
イエスであれば、バッファメモリ２５からその未記録データをＦＩＦＯ方式で読み出すとともに切替スイッチ２６をバッファメモリ２５側に切り替えることにより、その未記録データをビデオテープに記録させる（ステップＳ４３）。そして「ＳＴＯＰコマンド実行処理」を終了する。
【００９７】
他方、ステップＳ４２でノーであれば、ビデオテープへの映像データの記録を停止させる（ステップＳ４４）。そして「ＳＴＯＰコマンド実行処理」を終了する。
【００９８】
なお、図１１に示した処理は、ビデオカメラ１のＳＤＩエンコーダ１３（図２）が「音声制御兼ＶＴＲ制御パケット」（図６）を作成する場合の処理である。これに対して、ＳＤＩエンコーダ１３が図８，図９に示したような単独のＡＮＣパケットとしての「ＶＴＲ制御パケット」を作成する場合には、「ＶＴＲ制御パケット」のＵＤＷ中のＶＴＲＩＤで自己のＶＴＲ２が指定されている場合にのみＶＴＲ制御コマンドを実行するように処理を変更すればよい。
【００９９】
図１４は、この場合の処理の変更箇所を示す図であり、ステップＳ１〜Ｓ３は図１１のステップＳ１〜Ｓ３と全く同一内容の処理である。この場合には、ステップＳ３に続き、ＡＮＣパケットのデータＩＤ及びセカンダリデータＩＤに基いて、そのＡＮＣパケットが「ＶＴＲ制御パケット」（図８，図９）であるか否かを判断する（ステップＳ５１）。
【０１００】
ノーであれば、処理を終了する。他方、イエスであれば、その「ＶＴＲ制御パケット」のＵＤＷ中のＶＴＲＩＤを確認して（ステップＳ５２）、‘自己のＶＴＲ２に付与されている識別符号と一致するか、または全てのＶＴＲ２を指定している（ＶＴＲＩＤ＝００ｈである）’という条件を満たしているか否かを判断する（ステップＳ５３）。
【０１０１】
ノーであれば、処理を終了する。他方、イエスであれば、図１１のステップＳ５以降と全く同じ処理を実行する。
【０１０２】
次に、以上に説明した代表取材のためのシステムにおいて、幹事局のビデオカメラで撮影されている映像が他の各放送局のＶＴＲに録画される様子について述べる。
【０１０３】
幹事局のカメラマンが、操作部１５のＲＥＣ釦１５ａ（図２）を操作することによってビデオカメラ１（図１）での録画を開始すると、１フィールド期間毎に、ＲＥＣコマンド（図５）を含んだ「音声制御兼ＶＴＲ制御パケット」（図６）がＳＤＩエンコーダ１３（図２）によって作成・多重化され、その「音声制御兼ＶＴＲ制御パケット」を多重化したＨＤ−ＳＤＩ信号が、ビデオカメラ１からＨＤ−ＳＤＩ分配器３（図１）を介して他の各放送局のＶＴＲ２（図１）に伝送される。
【０１０４】
各ＶＴＲ２では、１フィールド期間毎に、ＳＤＩデコーダ２２（図１０）によってこの「音声制御兼ＶＴＲ制御パケット」が分離され、この「音声制御兼ＶＴＲ制御パケット」中のＲＥＣコマンドに基く「ＲＥＣコマンド実行処理」（図１１のステップＳ１〜Ｓ８，図１２）がＣＰＵ２４（図１０）によって実行される。
【０１０５】
そして、ビデオテープの残量がある場合には、ＶＴＲ２に入力して画像圧縮処理回路２３（図１０）で現在圧縮されている映像データが、ビデオテープに記録される（図１１のステップＳ２１〜Ｓ２７）。
【０１０６】
他方、ビデオテープの残量がなくなった場合（すなわち、ビデオカセットを交換する必要が生じた場合）には、画像圧縮処理回路２３で圧縮されている映像データが、バッファメモリ２５のほうに記録され始める（図１１のステップＳ２１〜Ｓ２４，Ｓ２９〜Ｓ３１）。
【０１０７】
そして、ビデオカセットの交換作業が完了すると、それまでバッファメモリ２５に蓄積された映像データが、交換後のビデオテープのほうに記録される（図１１のステップＳ２１〜Ｓ２６，Ｓ２８）。これにより、ビデオカセットの交換作業中にビデオカメラ１で撮影されていた映像が、交換作業時間分だけの時差をもって、ＶＴＲ２に録画されていく。
【０１０８】
その後、幹事局のカメラマンが、操作部１５のＳＴＯＰ釦１５ｂ（図２）を操作することによってビデオカメラ１での録画を終了すると、１フィールド期間毎に、ＳＴＯＰコマンド（図５）を含んだ「音声制御兼ＶＴＲ制御パケット」（図６）がＳＤＩエンコーダ１３（図２）によって作成・多重化され、その「音声制御兼ＶＴＲ制御パケット」を多重化したＨＤ−ＳＤＩ信号が、ビデオカメラ１からＨＤ−ＳＤＩ分配器３を介して各ＶＴＲ２に伝送される。
【０１０９】
各ＶＴＲ２では、１フィールド期間毎に、ＳＤＩデコーダ２２によってこの「音声制御兼ＶＴＲ制御パケット」が分離され、この「音声制御兼ＶＴＲ制御パケット」中のＳＴＯＰコマンドに基く「ＳＴＯＰコマンド実行処理」（図１１のステップＳ１〜Ｓ７，Ｓ９，Ｓ１０，図１３）がＣＰＵ２４によって実行される。
【０１１０】
そして、それまで実行していた「ＲＥＣコマンド実行処理」で時差記録（図１１のステップＳ２１〜Ｓ２６，Ｓ２８）を行わなかった場合（すなわちテープの残量があるのでビデオカセットを交換しなかった場合）には、直ちにビデオテープへの記録が停止される（１３のステップＳ４１，Ｓ４２，Ｓ４４）。
【０１１１】
他方、それまで実行していた「ＲＥＣコマンド実行処理」で時差記録（図１１のステップＳ２１〜Ｓ２６，Ｓ２８）を行っていた場合（ビデオカセットを交換した場合）には、バッファメモリ２５に蓄積された映像データのうちまだビデオテープのほうに記録されていない映像データが全てビデオテープに記録され（図１３のステップＳ４１〜Ｓ４３）、その後ビデオテープへの記録が停止される（図１３のステップＳ４１，Ｓ４２，Ｓ４４）。
【０１１２】
なお、「ＲＥＣコマンド実行処理」でバッファメモリ２５への映像データの記録が開始された後でも、ビデオカメラ１での録画が終了すると、「ＳＴＯＰコマンド実行処理」でまずバッファメモリ２５への映像データの記録が停止される（図１３のステップＳ４１）ので、ビデオカメラ１のほうに録画されていない映像がＶＴＲ２で録画されることはない。
【０１１３】
このように、このシステムでは、ビデオカメラ１自身の記録／記録停止動作と同じ動作を行わせるように各ＶＴＲ２を制御するコマンドが、ビデオカメラ１から各ＶＴＲ２に伝送されるＨＤ−ＳＤＩ信号に多重化されたＡＮＣパケットとして、１フィールド期間毎に（すなわち常時）各ＶＴＲ２に供給される。
【０１１４】
したがって、幹事局のビデオカメラ１から他の各放送局（Ａ局〜Ｄ局）のＶＴＲ２に供給するコマンドの信頼性を高めることができるので、ＶＴＲ２の設定の不備や故障といったような他の放送局の側の責任に帰すべき事情がない限り、ビデオカメラ１自身で録画するのと同じ映像を各ＶＴＲ２に録画させることができる。これにより、図１６に示した従来の代表取材のシステムについて〔発明が解決しようとする課題〕欄で述べた問題点（ａ）を解消して、代表取材における幹事局側の作業の負担を軽減することができる。
【０１１５】
また、ビデオカメラ１で撮影する映像をＶＴＲ２に録画させている最中にＶＴＲ２の側でビデオテープの残量がなくなった場合にも、その後ビデオカメラ１で撮影する映像が交換後のビデオテープに時差をもって記録されるので、映像を途切れることなくＶＴＲ２に録画させることができる。
【０１１６】
また、前述のように、ＢＮＣケーブルには延長距離が１００メートルのものも存在し、各ＶＴＲ２をビデオカメラ１から離れた位置に設置することができるので、〔発明が解決しようとする課題〕欄で述べた問題点（ｂ）も解消することができる。
【０１１７】
さらに、このシステムでは、幹事局のカメラマンが、ビデオカメラ１で録画を開始した後に、例えば本来録画すべきでない映像を録画したことに気付き、その映像を上書き消去するために操作部１５のＲＥＷ×５釦１５ｅ（図２）を操作してビデオカメラ１のＶＴＲ部１７（図２）でビデオテープを巻き戻すと、１フィールド期間毎に、ＲＥＷ×５コマンド（図５）を含んだ「音声制御兼ＶＴＲ制御パケット」（図６）がＳＤＩエンコーダ１３（図２）によって作成・多重化され、その「音声制御兼ＶＴＲ制御パケット」を多重化したＨＤ−ＳＤＩ信号が、ビデオカメラ１からＨＤ−ＳＤＩ分配器３（図１）を介して他の各放送局のＶＴＲ２（図１）に伝送される。
【０１１８】
各ＶＴＲ２では、１フィールド期間毎に、ＳＤＩデコーダ２２（図１０）によってこの「音声制御兼ＶＴＲ制御パケット」が分離され、この「音声制御兼ＶＴＲ制御パケット」中のＲＥＷ×５コマンドに基いてビデオテープが巻き戻される（図１１のステップＳ１〜Ｓ７，Ｓ９，Ｓ１１，Ｓ１３，Ｓ１５，Ｓ１６）。
【０１１９】
したがって、ビデオカメラ１自身に既に録画した映像を上書き消去するような場合に、各ＶＴＲ２のほうに録画された同じ映像も上書き消去させることができる。
【０１２０】
さらに、このシステムでは、幹事局のカメラマンが、操作部１５のＰＬＡＹ釦１５ｃやＦ．ＦＷＤ×５釦１５ｄやＥＪＥＣＴ釦１５ｆ（図２）を操作してビデオカメラ１のＶＴＲ部１７（図２）でビデオテープの再生やビデオテープの早送りやビデオカセットの排出を行うと、１フィールド期間毎に、ＰＬＡＹコマンドやＦ．ＦＷＤ×５コマンドやＥＪＥＣＴコマンド（図５）を含んだ「音声制御兼ＶＴＲ制御パケット」（図６）がＳＤＩエンコーダ１３（図２）によって作成・多重化され、その「音声制御兼ＶＴＲ制御パケット」を多重化したＨＤ−ＳＤＩ信号が、ビデオカメラ１からＨＤ−ＳＤＩ分配器３（図１）を介して他の各放送局のＶＴＲ２（図１）に伝送される。
【０１２１】
各ＶＴＲ２では、１フィールド期間毎に、ＳＤＩデコーダ２２（図１０）によってこの「音声制御兼ＶＴＲ制御パケット」が分離され、この「音声制御兼ＶＴＲ制御パケット」中のＰＬＡＹコマンドやＦ．ＦＷＤ×５コマンドやＥＪＥＣＴコマンドに基いてビデオテープの再生（図１１のステップＳ１〜Ｓ７，Ｓ９，Ｓ１１，Ｓ１２）やビデオテープの早送りや（図１１のステップＳ１〜Ｓ７，Ｓ９，Ｓ１１，Ｓ１３，Ｓ１４）やビデオカセットの排出（図１１のステップＳ１〜Ｓ７，Ｓ９，Ｓ１１，Ｓ１３，Ｓ１５，Ｓ１７）が行われる。
【０１２２】
したがって、ビデオカメラ１でビデオテープの再生やビデオテープの早送りやビデオカセットの排出を行うときに、各ＶＴＲ２にも同じ動作を行わせることができる。
【０１２３】
さらに、ビデオカメラ１のＳＤＩエンコーダ１３が単独のパケットとしての「ＶＴＲ制御パケット」（図８，図９）を作成する場合には、各ＶＴＲ２は、「ＶＴＲ制御パケット」のＵＤＷ中のＶＴＲＩＤを確認して、自己のＶＴＲ２に付与されている識別符号と一致するか、または全てのＶＴＲ２を指定している場合にのみ、ＶＴＲ制御コマンドを実行する（図１４）。
【０１２４】
したがって、幹事局以外の各放送局が用意したＶＴＲ２のうち、一部の放送局のＶＴＲ２にのみ映像を録画させればよいような場合にも、その一部の放送局のＶＴＲ２のみを指定して制御することができる。
【０１２５】
なお、図１に示したシステム構成では、ビデオカメラ１に付属したマイクロホンからの音声信号を、ＨＤ−ＳＤＩ信号として各ＶＴＲ２に伝送している。しかし、例えば野球場で代表取材を行う場合には、ヒーローインタビューの際などに、別のマイクロホンからの音声を各ＶＴＲ２に記録させたいことがある。その場合には、図１５に示すように、別のマイクロホン３１，３２からのアナログ音声信号を、ミキサー３３でミキシングし、Ａ／Ｄコンバータ３４でＡＥＳ／ＥＢＵフォーマットのシリアルデジタルオーディオ信号に変換してマルチプレクサ（ＨＤ−ＳＤＩ信号に、ＡＥＳ／ＥＢＵフォーマットのシリアルデジタルオーディオ信号を多重化する機器）３５に入力させるとともに、ビデオカメラ１からのＨＤ−ＳＤＩ信号もマルチプレクサ３５に入力させ、マルチプレクサ３５でこのシリアルデジタルオーディオ信号を多重化したＨＤ−ＳＤＩ信号を、ＨＤ−ＳＤＩ分配器３に入力させるようにすればよい。
【０１２６】
また、図１に示したシステム構成では、ビデオカメラ１から、ＨＤ−ＳＤＩ分配器３を介して各ＶＴＲ２にＨＤ−ＳＤＩ信号を伝送している。しかし、別の例として、ビデオカメラ１にデイジー・チェーン方式で各ＶＴＲ２を接続することにより、ＨＤ−ＳＤＩ分配器３を介することなくビデオカメラ１から各ＶＴＲ２にＨＤ−ＳＤＩ信号を伝送するようにしてもよい。
【０１２７】
また、以上の例では、ビデオカメラ１の側で１フィールド期間毎に「音声制御兼ＶＴＲ制御パケット」を作成・多重化しているが、別の例として１フレーム期間毎に「音声制御兼ＶＴＲ制御パケット」を作成・多重化したり、あるいは３フィールド以上の期間毎に「音声制御兼ＶＴＲ制御パケット」を作成・多重化してもよい。その場合にも、ＶＴＲ制御コマンドが、ビデオカメラ１から各ＶＴＲ２に伝送されるＨＤ−ＳＤＩ信号に多重化されたＡＮＣパケットとして定期的に各ＶＴＲ２に供給されるので、やはり、ビデオカメラ１から各ＶＴＲ２に供給するコマンドの信頼性を高めることができる。
【０１２８】
また、以上の例では、ビデオカメラ１からＨＤ−ＳＤＩ信号を各ＶＴＲ２に伝送するとともに、そのＨＤ−ＳＤＩ信号に多重化するＡＮＣパケットにＶＴＲ制御コマンドをセットしている。しかし、別の例として、ビデオカメラ１からＳＤ−ＳＤＩ信号，ＳＤＤＩ（serial digital data interface）信号またはＳＤＴＩ（Serial Data Transport Interface）信号を各ＶＴＲ２に伝送するとともに、その信号に多重化するＡＮＣパケットにＶＴＲ制御コマンドをセットするようにしてもよい。より一般的にいえば、ビデオカメラ１の操作部１５の操作状況に応じてＶＴＲ２を制御する制御情報を定期的に作成し、その制御情報とビデオカメラ１で撮影した映像信号と多重化することによって適宜のフォーマットのシリアルデジタル信号を作成して、そのシリアルデジタル信号を各ＶＴＲ２に伝送するようにしてよい。
【０１２９】
また、以上の例では、ＶＴＲ一体型ビデオカメラ及びＶＴＲを用いたシステムに本発明を適用している。しかし、これに限らず、ビデオテープ以外の記録媒体（例えば光ディスク）に映像を録画するビデオカメラ及び映像記録装置を用いたシステムにも本発明を適用してよい。
【０１３０】
また、以上の例では代表取材に本発明を適用しているが、これに限らず、バックアップ収録（ビデオカメラで録画する映像をバックアップ用に別のＶＴＲにも録画すること）や、リモート収録（ビデオカメラで撮影する映像を離れた場所のＶＴＲに録画すること）にも本発明を適用してよい。より一般的にいえば、ビデオカメラで撮影する映像を別の映像記録装置に録画させるあらゆるケースに本発明を適用してよい。
【図面の簡単な説明】
【０１３１】
【図１】本発明を適用した代表取材のためのシステムの全体構成を示す図である。
【図２】図１のビデオカメラの主要部の構成を示すブロック図である。
【図３】タイプ２のＡＮＣパケットのフォーマットを示す図である。
【図４】「音声制御兼ＶＴＲ制御パケット」を作成するために図２のＣＰＵが与えるパラメータ及びデータを示す図である。
【図５】ＶＴＲ制御コマンドの内容を示す図である。
【図６】「音声制御兼ＶＴＲ制御パケット」の構造を示す図である。
【図７】単独の「ＶＴＲ制御パケット」を作成するために図２のＣＰＵが与えるパラメータ及びデータを示す図である。
【図８】単独の「ＶＴＲ制御パケット」の構造を例示する図である。
【図９】単独の「ＶＴＲ制御パケット」の構造を例示する図である。
【図１０】図１の各ＶＴＲの記録系の構成を示すブロック図である。
【図１１】図１０のＣＰＵがＶＴＲ制御コマンドに基いて実行する処理の内容を示すフローチャートである。
【図１２】図１１の「ＲＥＣコマンド実行処理」の内容を示すフローチャートである。
【図１３】図１１の「ＳＴＯＰコマンド実行処理」の内容を示すフローチャートである。
【図１４】単独の「ＶＴＲ制御パケット」を作成する場合の図１１の処理の変更箇所を示す図である。
【図１５】図１のシステムの変更例を示す図である。
【図１６】代表取材のための従来のシステムの構成を示す図である。
【符号の説明】
【０１３２】
１  ビデオカメラ、  １ａ  ＨＤ−ＳＤＩ出力端子、  ２  ＶＴＲ、  ２ａ  ＨＤシリアルデジタル入力端子、  ３  ＨＤ−ＳＤＩ分配器、  ３ａ  ＨＤシリアルデジタル入力端子、  ３ｂ  ＨＤシリアルデジタル出力端子、  ４，５  ＢＮＣケーブル、  １１  撮像部、  １２  映像信号処理部、  １３  ＳＤＩエンコーダ、  １４  ＣＰＵ、  １５  操作部、  １５ａ  ＲＥＣ、  １５ｂ  ＳＴＯＰ釦、  １５ｃ  ＰＬＡＹ釦、  １５ｄ  Ｆ．ＦＷＤ×５釦、  １５ｅ  ＲＥＷ×５釦、  １５ｆ  ＥＪＥＣＴ釦、  １６  パラレル／シリアル変換回路、  １７  ＶＴＲ部、  ２１  シリアル／パラレル変換回路、  ２２  ＳＤＩデコーダ、  ２３  画像圧縮処理回路、  ２４  ＣＰＵ、  ２５  バッファメモリ、  ２６  切替スイッチ、  ２７  信号処理回路、  ２８  記録アンプ、  ２９  記録ヘッド
【図１】
2006262194.tif 000003
【図２】
2006262194.tif 000004
【図３】
2006262194.tif 000005
【図４】
2006262194.tif 000006
【図５】
2006262194.tif 000007
【図６】
2006262194.tif 000008
【図７】
2006262194.tif 000009
【図８】
2006262194.tif 000010
【図９】
2006262194.tif 000011
【図１０】
2006262194.tif 000012
【図１１】
2006262194.tif 000013
【図１２】
2006262194.tif 000014
【図１３】
2006262194.tif 000015
【図１４】
2006262194.tif 000016
【図１５】
2006262194.tif 000017
【図１６】
2006262194.tif 000018